(57)【要約】【課題】検出感度が良好であり、かつ、振動が抑制される回転速度検出装置が搭載された回転速度検出装置付きターボチャージャを提供する。【解決手段】排気により回転駆動されるタービンホイール３１、タービンホイール３１の回転により回転駆動されるコンプレッサホイール２１、並びにタービンホイール３１及びコンプレッサホイール２１に固定されたシャフト４１を有する回転体４と、回転体４を収容する金属製のハウジング６と、コンプレッサホイール２１の回転速度を検出する回転速度検出装置５と、を備え、回転速度検出装置５は、コンプレッサホイール２１に固定された強磁性体と、強磁性体の磁界を検出する磁界検出素子５２と、を有し、磁界検出素子５２は、ハウジング６に形成された収容孔６２０に収容されており、収容孔６２０の収容空間６１側の端部が閉塞されている。【選択図】図１
2018048883.tif 000002
【特許請求の範囲】
【請求項１】
排気により回転駆動されるタービンホイール、前記タービンホイールの回転により回転駆動されるコンプレッサホイール、並びに前記タービンホイール及び前記コンプレッサホイールと一体に回転するように固定されたシャフトを有する回転体と、
前記回転体を収容する収容空間が形成された金属製のハウジングと、
前記回転体の回転速度を検出する回転速度検出装置と、を備え、
前記回転速度検出装置は、前記シャフトに固定された強磁性体と、該強磁性体の磁界を検出する磁界検出素子と、を有し、
前記磁界検出素子は、前記ハウジングに形成された収容孔に収容されており、
前記収容孔は、前記収容空間側の端部が閉塞されている、
回転速度検出装置付きターボチャージャ。
【請求項２】
前記強磁性体は、前記シャフトの両端部のうち一方の先端部に固定されている、
請求項１に記載の回転速度検出装置付きターボチャージャ。
【請求項３】
前記強磁性体は、前記タービンホイール又は前記コンプレッサホイールに前記シャフトを固定する固定部材である、
請求項２に記載の回転速度検出装置付きターボチャージャ。
【請求項４】
前記磁界検出素子は、巨大磁気抵抗素子又はトンネル磁気抵抗素子である、
請求項１乃至３の何れか一項に記載の回転速度検出装置付きターボチャージャ。
【請求項５】
前記収容孔は、前記ハウジングの外面から内面に向かって形成された非貫通孔であり、前記収容孔の前記収容空間側の端部は、前記ハウジングの一部であるハウジング蓋部により閉塞されている、
請求項１乃至４の何れか一項に記載の回転速度検出装置付きターボチャージャ。
【請求項６】
前記収容孔の前記収容空間側の端部は、樹脂からなる栓部材により閉塞されている、
請求項１乃至４の何れか一項に記載の回転速度検出装置付きターボチャージャ。
【発明の詳細な説明】
【技術分野】
【０００１】
本発明は、コンプレッサホイールの回転速度を検出する回転速度検出装置付きターボチャージャに関する。
【背景技術】
【０００２】
従来、車両に搭載されたターボチャージャの回転速度を検出する回転速度検出装置として、永久磁石と検知コイルとを備える回転検知機構を用いたものが知られている（例えば、特許文献１参照）。また、回転速度検出装置として、電磁ピックアップを用いたものが知られている（例えば、特許文献２参照）。
【０００３】
特許文献１に記載の回転速度検出装置では、コンプレッサホイールを回転軸に固定する六角ナットが永久磁石化され、エナメル線を巻回して形成された検知コイルが、回転軸と直交する方向に配置されている。そして、六角ナットは、コンプレッサホイールの回転の周方向に分極されている。コンプレッサホイールの回転に伴って磁石化された六角ナットが回転すると、六角ナットから発生している磁界が検知コイルを横切り、検知コイルに電磁誘導による電流が生じる。この電流は正弦波となり、この周波数を計数することでコンプレッサホイールの回転数を検知することができる。
【０００４】
また、特許文献２に記載の回転速度検出装置では、コンプレッサの回転翼を固定するナットが回転翼の回転面と平行な平面内に磁界が発生するように磁化され、電磁ピックアップがナットの磁束を検出するように構成されている。ターボチャージャが回転するときに、ナットの磁束を電磁ピックアップで検出することにより、その回転数を検出することができる。ケーシングには貫通孔が形成されており、電磁ピックアップはこの貫通孔に取り付けられている。
【先行技術文献】
【特許文献】
【０００５】
【特許文献１】特開平１０−２０６４４７号公報
【特許文献２】特開昭６２−１９４４６６号公報
【発明の概要】
【発明が解決しようとする課題】
【０００６】
特許文献１に記載の回転速度検出装置では、検知コイルがハウジングの外側に設けられている。しかし、このような位置に検知コイルを配置すると、ハウジングの厚みにより、検知コイルと永久磁石との間隔が広がってしまい、特にコンプレッサホイールに高速回転時には、十分な検出感度が得られないおそれがある。
【０００７】
また、特許文献２に記載の回転速度検出装置では、電磁ピックアップが貫通孔に配置されているため、電磁ピックアップが吸気通路に吸入される吸気に曝される。このため、電磁ピックアップが吸気の影響を受けて振動し、磁束の検出に悪影響を及ぼしてしまうおそれがある。また、電磁ピックアップがハウジングに貫通して、すなわち、ハウジングの内側に突出して配置されると、コンプレッサホイールの高速回転によってハウジング内に乱流が発生し、コンプレッサホイールの回転に悪影響を及ぼすおそれもある。
【０００８】
そこで、本発明は、検出感度が良好であり、かつ、振動が抑制される回転速度検出装置が搭載された回転速度検出装置付きターボチャージャを提供することを目的とする。
【課題を解決するための手段】
【０００９】
本発明は、上記課題を解決することを目的として、排気により回転駆動されるタービンホイール、前記タービンホイールの回転により回転駆動されるコンプレッサホイール、並びに前記タービンホイール及び前記コンプレッサホイールと一体に回転するように固定されたシャフトを有する回転体と、前記回転体を収容する収容空間が形成された金属製のハウジングと、前記回転体の回転速度を検出する回転速度検出装置と、を備え、前記回転速度検出装置は、前記シャフトに固定された強磁性体と、該強磁性体の磁界を検出する磁界検出素子と、を有し、前記磁界検出素子は、前記ハウジングに形成された収容孔に収容されており、前記収容孔は、前記収容空間側の端部が閉塞されている、回転速度検出装置付きターボチャージャを提供する。
【発明の効果】
【００１０】
本発明によれば、検出感度が良好であり、かつ、振動が抑制される回転速度検出装置が搭載された回転速度検出装置付きターボチャージャが提供できる。
【図面の簡単な説明】
【００１１】
【図１】本発明の一実施の形態に係る回転速度検出装置付きターボチャージャの概略構成図である。
【図２】図１に示す回転速度検出装置付きターボチャージャの要部拡大図である。
【図３】回転速度検出装置の概略構成図である。（ａ）は、磁気抵抗素子の電気抵抗が大きいときの回転速度検出装置の状態を示す概略図であり、（ｂ）は、磁気抵抗素子の電気抵抗が小さいときの回転速度検出装置の状態を示す概略図である。
【図４】本発明の一変形例に係る回転速度検出装置付きターボチャージャの回転速度検出装置の磁界検出素子として用いるトンネル磁気抵抗素子の概略構成図である。
【図５】本発明の第２の実施の形態に係る回転速度検出装置付きターボチャージャの概略構成図である。
【発明を実施するための形態】
【００１２】
以下、本発明の実施の形態を添付図面にしたがって説明する。
【００１３】
［第１の実施の形態］
図１は、本発明の一実施の形態に係る回転速度検出装置付きターボチャージャの概略構成図である。図２は、図１に示す回転速度検出装置付きターボチャージャの要部拡大図であり、図１に示すＡ部の拡大図である。図３は、図１に示す回転速度検出装置付きターボチャージャから回転速度検出装置を抜き出して示す概略構成図であり、図３（ａ）は、磁界検出素子として用いる磁気抵抗素子の電気抵抗が大きいときの回転速度検出装置の状態を示し、図３（ｂ）は、磁界検出素子として用いる磁気抵抗素子の電気抵抗が小さいときの回転速度検出装置の状態を示す。
【００１４】
（ターボチャージャの説明）
図１に示すように、回転速度検出装置付きターボチャージャ１（以下、単に「ターボチャージャ１」と記載する。）は、車両の内燃機関（不図示）の吸気通路２２に設けられるコンプレッサ２と、内燃機関の排気通路３２に設けられるタービン３と、を備えている。
【００１５】
コンプレッサ２は、複数のコンプレッサ羽根２１１を有するコンプレッサホイール２１を備えている。コンプレッサ羽根２１１を含むコンプレッサホイール２１は、導電体であるアルミニウム（またはアルミニウム合金）により構成されている。
【００１６】
タービン３は、複数のタービン羽根３１１を有するタービンホイール３１を備えている。タービンホイール３１は、内燃機関からの排気をタービン羽根３１１で受けて回転する。
【００１７】
コンプレッサホイール２１とタービンホイール３１とは、後述するシャフト４１により連結されており、コンプレッサホイール２１が、タービンホイール３１の回転により回転駆動されるように構成されている。これにより、ターボチャージャ１では、内燃機関からの排気により回転駆動させたタービンホイール３１の回転に伴ってコンプレッサホイール２１が回転駆動され、これにより吸気を圧縮して内燃機関へと送り込む。タービンホイール３１、コンプレッサホイール２１、及びシャフト４１は、一体となって回転する。以下、タービンホイール３１、コンプレッサホイール２１、及びシャフト４１が一体化された構成体を回転体４とする。
【００１８】
具体的に、タービンホイール３１及びコンプレッサホイール２１は、シャフト４１の両端部において、固定部材により一体に回転するように連結されている。より具体的に、固定部材は、上面視において六角形の形状を有するナット５１Ａ，５１Ｃと、環状のワッシャ５１Ｂ，５１Ｄとを含んで構成されている。ナット５１Ａは、シャフト４１のコンプレッサホイール２１側の先端部に形成された雄ねじ部４１１Ａに螺合している。ナット５１Ｃは、シャフト４１のタービンホイール３１側の先端部に形成された雄ねじ部４１１Ｂに螺合している。ワッシャ５１Ｄ，５１Ｂは、タービンホイール３１とナット５１Ｃとの間及びコンプレッサホイール２１とナット５１Ａとの間にそれぞれ配置されている。
【００１９】
シャフト４１は、ナット５１Ｃが締め付けられることにより、タービンホイール３１の底面３１ａ（図示下側の端面）がシャフト４１の大径部４１２に突き当てられて、タービンホイール３１と一体に回転するように固定される。また、シャフト４１は、ナット５１Ａが締め付けられることにより、コンプレッサホイール２１の底面２１ａ（図示上側の端面）がシャフト４１の中径部及び小径部の間に設けられた段差部４１３に突き当てられて、コンプレッサホイール２１と一体に回転するように固定される。
【００２０】
このため、ナット５１Ａ及びナット５１Ｃの回転速度、すなわち単位時間あたりの回転数は、コンプレッサホイール２１及びタービンホイール３１の回転速度、すなわち単位時間あたりの回転数とそれぞれ等しい。このため、ナット５１Ａ又はナット５１Ｃの回転速度を検出することにより、それぞれ、コンプレッサホイール２１又はタービンホイール３１の回転速度を検出することができる。つまり、ナット５１Ａ又はナット５１Ｃの回転速度を検出することにより、回転体４の回転速度を検出することができる。
【００２１】
ターボチャージャ１は、回転体４を収容する収容空間６１が形成されたハウジング６をさらに備えている。ハウジング６は、コンプレッサホイール２１を収容するコンプレッサ側ハウジング６２と、タービンホイール３１を収容するタービン側ハウジング６３と、コンプレッサ側ハウジング６２とタービン側ハウジング６３とを連結する軸受ハウジング６４とからなる。
【００２２】
コンプレッサ２は、コンプレッサ側ハウジング６２内に、コンプレッサホイール２１を収容して構成されている。タービン３は、タービン側ハウジング６３内に、タービンホイール３１を収容して構成されている。シャフト４１は、軸受ハウジング６４に回転可能に支持されている。軸受ハウジング６４には、シャフト４１の潤滑及び冷却用の潤滑油が供給される油路６４１が形成されており、油路６４１に供給される潤滑油による冷却効果により、タービン３側の熱がコンプレッサ２側に伝わることを抑制している。
【００２３】
ハウジング６は、アルミニウム等の金属からなる金属製のものである。より具体的に、本実施の形態では、ハウジング６は、導電体であるアルミニウム（またはアルミニウム合金）により構成されている。
【００２４】
ハウジング６には、後述する磁界検出素子５２を収容する収容孔６２０が形成されている。また、収容孔６２０は、ハウジング６の外面から内面に向かって形成された非貫通孔である。本実施の形態では、収容孔６２０は、コンプレッサ側ハウジング６２に形成され、また、コンプレッサ側ハウジング６２の外面から内面に向かって形成された非貫通孔である。また、収容孔６２０は、その底部側に収容された磁界検出素子５２が、シャフト４１の軸方向において、コンプレッサホイール２１側のナット５１Ａと対応する位置に配置されるように形成されている。ナット５１Ａと磁界検出素子５２とは、シャフト４１の軸方向と直交する方向に一直線上に配置されている。
【００２５】
（回転速度検出装置の説明）
ターボチャージャ１は、回転体４の回転速度を検出する回転速度検出装置５をさらに備えている。回転速度検出装置５は、シャフト４１に固定された強磁性体としてのナット５１Ａと、ナット５１Ａから発生する磁界を検出する磁界検出素子５２と、磁界検出素子５２の出力を基にコンプレッサホイール２１の回転速度を検出する図示しない検出回路と、を備えている。
【００２６】
ナット５１Ａは、鉄、コバルト、ニッケル等の金属材で構成され、コンプレッサホイール２１にシャフト４１を固定するために取り付けられた後に、ナット５１Ａの側面のうち所定の一側面とこの一側面と反対側の他面とがそれぞれＮ極とＳ極となるように強磁性化（以下、「着磁」と記載する。）されている（図３参照）。本実施の形態では、具体的に、ナット５１Ａは、鉄クロムコバルト磁石（ＦｅＣｒＣｏ）で構成され、着磁される。この鉄クロムコバルト磁石は、高強度、高キュリー点、熱減磁が少ないという点で利点がある。
【００２７】
また、ナット５１Ａを強磁性体とすることにより、ナット５１Ａが、コンプレッサホイール２１にシャフト４１を固定する固定部材としての役割と、磁界検出素子５２が検出する磁界を発生させる強磁性体としての役割とを兼ねることができ、部品点数を低減することができる。
【００２８】
磁界検出素子５２は、ＰＰＳ（ポリフェニレンサルファイド）等の絶縁性樹脂からなる樹脂モールド５３により覆われている。磁界検出素子５２は、上述した収容孔６２０にその全体が収容されており、収容孔６２０の内面が磁性検出素子５２を囲んでいる。前述のように、収容孔６２０は非貫通孔であり、コンプレッサ側ハウジング６２のコンプレッサホイール２１を収容する収容空間６１側には貫通していない。そのため、磁界検出素子５２は、コンプレッサ側ハウジング６２の一部を挟んで、ナット５１Ａとシャフト４１の径方向に並んでいる。換言すれば、図２に示すように、磁界検出素子５２とナット５１Ａとの間には、コンプレッサ側ハウジング６２の内部と収容孔６２０との連通を遮る、ハウジング６の一部としてのハウジング蓋部６２１が設けられている。すなわち、収容孔６２０の収容空間６１側の端部はハウジング６の一部であるハウジング蓋部６２１により閉塞されている。また、樹脂モールド５３からは磁界検出素子５２と電気的に接続された信号線が延出されており、この信号線が磁界検出素子５２の外部に設けられた検出回路に接続されている。なお、検出回路は樹脂モールド５３内に設けられていてもよい。
【００２９】
検出回路の構成は特に限定するものではないが、検出回路は、例えば、磁界検出素子５２の電気抵抗を測定する測定部と、測定部が測定した電気抵抗の変動の周波数を計数することで、ナット５１Ａの回転の周波数を計数し、コンプレッサホイール２１の回転速度を算出する算出部と、を備えて構成される。
【００３０】
＜巨大磁気抵抗素子の説明＞
本実施の形態では、磁界検出素子５２としての巨大磁気抵抗素子（ＧＭＲ：Ｇｉａｎｔ  Ｍａｇｎｅｔｏ  Ｒｅｓｉｓｔａｎｃｅ）を用いる。巨大磁気抵抗素子は、外部の磁界によって電気抵抗が変化する現象、すなわち、磁気抵抗効果を利用して、外部の磁界の変化を検出する素子である。
【００３１】
図３に示すように、磁界検出素子５２としての巨大磁気抵抗素子５２は、強磁性の性質を有する固定層５２１及び自由層５２２と、固定層５２１と自由層５２２との間に配置され、固定層５２１と自由層５２２とを反強磁性的に結合する非磁性の絶縁障壁層５２３とを備えている。これら層の材質は上述の性質を満たすものであれば特定の材質に限定されるものではないが、例えば、固定層５２１には硬磁性体であるコバルト等を、自由層５２２には軟磁性体であるニッケル鉄合金（ＮｉＦｅ）等を、絶縁障壁層５２３には非磁性体の銅等をそれぞれ用いることができる。
【００３２】
固定層５２１及び自由層５２２は、各々の層内に存在する電子のスピンの向きによって、各層全体として所定の方向に磁化されている。なお、図３では、説明の便宜上、固定層５２１と自由層５２２とに生じている巨視的な磁化の方向（以下、単に「磁化方向」と記載する。）を、それぞれ矢印で示した。
【００３３】
固定層５２１は、外部の磁界の影響によって磁化方向が変化しないように構成されている。具体的に、図３（ａ）及び図３（ｂ）に示すように、固定層５２１は、外部の磁界としての、ナット５１Ａから発生する磁界の方向によらず、所定の一方向に磁化されている（矢印５２１ａ参照）。なお、図３では、ナット５１Ａから発生する磁界を破線にて模式的に示している。
【００３４】
一方、自由層５２２は、外部の磁界の影響によって磁化方向が変化するように構成されている。具体的に、図３（ａ）及び図３（ｂ）に示すように、自由層５２２の磁化方向は、外部の磁界としての、ナット５１Ａから発生する磁界の向きに依存して変化する。例えば、図３（ａ）に示すように、ナット５１Ａから発生する磁界のうち自由層５２２を通る部分が所定の方向（図示上向き）に延出している状態において、自由層５２２が上向きに磁化されているとした場合に（矢印５２２ａ参照）、ナット５１Ａが時計回り又は反時計回りに１８０度回転した状態では、図３（ｂ）に示すように、ナット５１Ａから発生する磁界のうち自由層５２２を通る部分は上述の所定の方向と反対の方向（図示下向き）に延出し、これによって自由層５２２は下向きに磁化される（矢印５２２ｂ参照）。すなわち、ナット５１Ａが回転すると、自由層５２２の磁化方向が変化する。
【００３５】
図３（ａ）に示すような、固定層５２１の磁化方向と、自由層５２２の磁化方向が互いに同じ方向のときは、電子が両層の界面で散乱されにくく容易に移動できる。そのため、磁気抵抗素子の電気抵抗は小さくなる。一方で、図３（ｂ）に示すような、固定層５２１の磁化方向と、自由層５２２の磁化方向が互いに反対の方向のときは、電子が両層の界面で散乱されやすく容易に移動できない。そのため、磁気抵抗素子の電気抵抗は大きくなる。
【００３６】
コンプレッサホイール２１が回転し、コンプレッサホイール２１の回転に伴い、シャフト４１の回転を介して、ナット５１Ａが回転すると、自由層５２２が受ける磁界の方向がナット５１Ａの回転に伴い連続的に変化する。かかる磁界の変化の影響を受け、自由層５２２の磁化方向が変化する。これにより、磁気抵抗素子の電気抵抗が変化する。つまり、コンプレッサホイール２１の回転に伴い磁気抵抗素子の電気抵抗が変化する。このようにして、磁気抵抗素子の電気抵抗を測定することにより、コンプレッサホイール２１の回転速度を検出する。より具体的に、電気抵抗の変動の周波数を計数することでコンプレッサホイール２１の回転数を検出する。以上のようにして、回転速度検出装置５は、回転体４の回転速度を検出する。
【００３７】
（変形例）
磁界検出素子５２は、巨大磁気抵抗素子に変えて、トンネル磁気抵抗素子（ＴＭＲ：Ｔｕｎｎｅｌ  Ｍａｇｎｅｔｏ  Ｒｅｓｉｓｔａｎｃｅ）とすることもできる。
【００３８】
＜トンネル磁気抵抗素子の説明＞
図４は、磁界検出素子５２として用いるトンネル磁気抵抗素子５２Ａの概略構成図である。図４に示すように、トンネル磁気抵抗素子５２Ａは、巨大磁気抵抗素子と同様に、強磁性の性質を有する固定層５２１Ａ及び自由層５２２Ａを備えている。また、固定層５２１Ａと、自由層５２２Ａとの間には、数ナノメートルの厚みを有する極薄板状のトンネル障壁層５２４が設けられている。トンネル障壁層５２４は、絶縁体で構成することができ、例えば、酸化アルミニウム、酸化マグネシウム、酸化チタン、窒化アルミニウムなどで構成することができる。なお、図３では、説明の便宜上、トンネル障壁層５２４の厚みを固定層５２１Ａ及び自由層５２２Ａに対して厚く描いているが、実際はより薄いものである点に留意されたい。
【００３９】
トンネル磁気抵抗素子５２Ａは、トンネル障壁層５２４を通して固定層５２１Ａと自由層５２２Ａとの間に流れるトンネル電流を検出して、外部の磁界の変化を検出する。巨大磁気抵抗素子と同様に、固定層５２１Ａの磁化方向と、自由層５２２Ａの磁化方向が同じときは、磁気抵抗素子の電気抵抗は小さく、固定層５２１Ａの磁化方向と、自由層５２２Ａの磁化方向が互いに反対のときは、磁気抵抗素子の電気抵抗は大きくなる。
【００４０】
トンネル磁気抵抗素子５２Ａでは、抵抗の変化する割合が、巨大磁気抵抗素子と比較して数倍大きいため、トンネル磁気抵抗素子５２Ａは巨大磁気抵抗素子よりも微弱な信号を読み出すことができる。
【００４１】
＜その他の素子について＞
磁界検出素子５２は、必ずしも磁気抵抗素子に限られるものではなく、例えば、マグネットとコイルとを備えて構成されたピックアップセンサや、ホール効果を利用して磁界を検出するホール素子等でもよい。
【００４２】
＜その他の変形例について＞
本実施の形態では、ナット５１Ａを取り付け後に着磁を行ったが、予め着磁されたナット５１Ａを取り付けるようにしてもよい。ただし、コンプレッサホイール２１の回転バランスの調整のため、例えば、ナット５１Ａやコンプレッサ羽根２１１を削る場合に、ナット５１Ａが予め磁化されている場合、ナット５１Ａの磁力で削り屑を吸着してしまう恐れがある。そのため、ナット５１Ａの着磁は固定後に行うことが望ましいといえる。
【００４３】
また、本実施の形態では、ナット５１Ａを着磁して強磁性体としたが、これに代えてワッシャ５１Ｂを強磁性体とする構成であってもよい。
【００４４】
（第１の実施の形態の作用及び効果）
以上説明した実施の形態及びその変形例によれば、以下のような作用及び効果が得られる。すなわち、磁界検出素子５２が、ハウジング６に形成された収容孔６２０に収容されている構成とすることにより、コイルをハウジングの外側に設ける場合よりも、磁界検出素子５２をコンプレッサホイール２１側に近づけることができる。また、磁界検出素子５２は、シャフト４１の軸方向において、ナット５１Ａと対応する位置に配置されるとともに、ナット５１Ａを強磁性体とすることにより、磁界検出素子５２と磁界の発生源であるナット５１Ａとの距離を小さくすることができる。
【００４５】
例えば、吸気通路２２が横断面視において直径略２０〜３０ミリメートルの円形状の形状を有する場合に、略４ミリメートルから１０ミリメートルの対角距離を有するナット５１Ａを用いると、コンプレッサ側ハウジング６２の内面側の先端面からナット５１Ａの一側面までの距離を略８から１０ミリメートルとすることができる。そして、ハウジング蓋部６２１の厚み、すなわち、コンプレッサ側ハウジング６２の収容孔６２０に対応する部分の厚みを、略１ミリメートルとすると、磁界検出素子５２とナット５１Ａとの距離を、略９から１１ミリメートルまで縮めることが可能となる。
【００４６】
以上のように、ハウジングの外側にコイルを設ける従来のセンサの構成と比較して、磁界検出素子５２とナット５１Ａとの距離を小さくする、すなわち、磁界検出素子５２を磁界の発生源である強磁性体に近づけることができ、これにより、磁界検出素子５２の検出感度を良好にすることができる。その結果、回転速度検出装置５の検出精度を高めることができる。
【００４７】
さらに、収容孔６２０は非貫通孔であり、コンプレッサ側ハウジング６２の収容空間６１側には貫通せず、収容空間６１側の端部はハウジング６の一部としてのハウジング蓋部６２１により閉塞されている。これにより、磁界検出素子５２は吸気通路２２に吸入される吸気に曝されないため、吸気の影響を受けずに、回転体４の回転速度の検出を行うことができる。その結果、磁界検出素子５２の振動を抑制することができる。また、磁界検出素子５２が収容孔６２０から収容空間６１側に突出しないため、コンプレッサホイール２１の高速回転による乱流の発生を抑制することができる。さらに、収容孔６２０の内面が磁界検出素子５２を囲んでいることにより、ハウジング６の外側からのノイズ（交流磁界）を遮蔽することが可能となり、より高い検出精度を得ることができる。
【００４８】
［第２の実施の形態］
次に、本発明の第２の実施の形態について、図５を参照して説明する。上述した第１の実施の形態のターボチャージャ１と同一の構成要素には同一の参照符号を付し、詳細な説明は省略する。第２の実施の形態は、磁界検出素子５２側が、ハウジング６の一部としてのハウジング蓋部６２１で閉塞されるのに代えて、栓部材６５で閉塞されている点で、第１の実施の形態と異なる。
【００４９】
図５に示すように、収容孔６２０は、ハウジング６の内外面間を貫通している。また、コンプレッサ側ハウジング６２のコンプレッサホイール２１に対向する内面側の開口は、ナット５１Ａとシャフト４１の径方向に並ぶ位置に形成されている。そして、収容孔６２０の収容空間６１側の端部は、栓部材６５によって閉塞されている。本実施の形態では、栓部材６５は、樹脂で形成されている。ここでいう樹脂とは、プラスチック等の合成樹脂に加え、ゴム素材や接着剤を含むものとする。
【００５０】
収容孔６２０の収容空間６１側の端部が樹脂からなる栓部材６５で閉塞されていることにより、第１の実施の形態と同様に、磁界検出素子５２は吸気通路２２に吸入される吸気に曝されないため、吸気の影響を受けずに、回転体４の回転速度の検出を行うことができる。その結果、磁界検出素子５２の振動を抑制することができる。また、磁界検出素子５２が収容孔６２０から収容空間６１側に突出しないため、乱流の発生を抑制することができる。さらに、栓部材６５が樹脂部材で形成されているため、栓部材６５の部分には渦電流が発生せず、非貫通孔の場合にコンプレッサホイール２１の高速回転によって生じ得る渦電流の発生を防止することができる。
【００５１】
（変形例）
図示はしないが、シャフト４１を強磁性体とすると共に、軸受ハウジング６４に形成された収容孔に、シャフト４１の軸方向と直交する方向に向かって磁界検出素子５２を配置し、シャフト４１の回転を検出するようにした構成であってもよい。また、磁界検出素子５２が収容される収容孔を、タービン側ハウジング６３に形成し、第１の実施の形態に係る強磁性体を、タービンホイール３１にシャフト４１を固定するナット５１Ｃとする構成であってもよい。
【００５２】
変形例の構成によっても、第１の実施の形態と同様に、磁界検出素子５２を磁界の発生源であるナット５１Ｃに近づけることにより、磁界検出素子５２の検出感度を良好にすることができる。また、収容孔６２０Ａの収容空間６１側の端部が閉塞されていることにより、磁界検出素子５２の振動や、タービン側ハウジング６３内での乱流の発生を抑制できる。さらに、ハウジング６の外側からの磁界を遮蔽することが可能となる。
【００５３】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００５４】
［１］排気により回転駆動されるタービンホイール（３１）、前記タービンホイール（３１）の回転により回転駆動されるコンプレッサホイール（２１）、並びに前記タービンホイール（３１）及び前記コンプレッサホイール（２１）と一体に回転するように固定されたシャフト（４１）を有する回転体（４）と、前記回転体（４）を収容する収容空間（６１）が形成された金属製のハウジング（６）と、前記回転体（４）の回転速度を検出する回転速度検出装置（５）と、を備え、前記回転速度検出装置（５）は、前記シャフト（４１）に固定された強磁性体と、該強磁性体の磁界を検出する磁界検出素子（５２）と、を有し、前記磁界検出素子（５２）は、前記ハウジング（６）に形成された収容孔（６２０）に収容されており、前記収容孔（６２０）は、前記収容空間（６１）側の端部が閉塞されている、回転速度検出装置付きターボチャージャ（１）。
【００５５】
［２］前記強磁性体は、前記シャフト（４１）の両端部のうち一方の先端部に固定されている、［１］に記載の回転速度検出装置付きターボチャージャ（１）。
【００５６】
［３］前記強磁性体は、前記タービンホイール（３１）又は前記コンプレッサホイール（２１）に前記シャフト（４１）を固定する固定部材である、［１］に記載の回転速度検出装置付きターボチャージャ（１）。
【００５７】
［４］前記磁界検出素子（５２）は、巨大磁気抵抗素子（５２）又はトンネル磁気抵抗素子（５２Ａ）である、［１］乃至［３］の何れか１つに記載の回転速度検出装置付きターボチャージャ（１）。
【００５８】
［５］前記収容孔（６２０）は、前記ハウジング（６）の外面から内面に向かって形成された非貫通孔であり、前記収容孔（６２０）の前記収容空間（６１）側の端部は、前記ハウジング（６）の一部であるハウジング蓋部（６２１）により閉塞されている、［１］乃至［４］の何れか１つに記載の回転速度検出装置付きターボチャージャ（１）。
【００５９】
［６］前記収容孔（６２０）の前記収容空間（６１）側の端部は、樹脂からなる栓部材（６５）により閉塞されている、［１］乃至［４］の何れか１つに記載の回転速度検出装置付きターボチャージャ（１）。
【００６０】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００６１】
１…回転速度検出装置付きターボチャージャ（ターボチャージャ）
２１…コンプレッサホイール
３１…タービンホイール
４…回転体
４１…シャフト
５…回転速度検出装置
５２…巨大磁気抵抗素子（磁界検出素子）
５２Ａ…トンネル磁気抵抗素子（磁界検出素子）
６…ハウジング
６１…収容空間
６２０…収容孔
６２１…ハウジング蓋部
６５…栓部材
【図１】
2018048883.tif 000003
【図２】
2018048883.tif 000004
【図３】
2018048883.tif 000005
【図４】
2018048883.tif 000006
【図５】
2018048883.tif 000007